(57)【要約】【課題】  棚板及びそれへの陳列商品を、光により効果的に演出する。【解決手段】  商品陳列棚１における棚板６ａ、６ｂの前面に、左右方向に向かって透光窓孔１３、２１を設けるとともに、この透光窓孔１３、２１の裏面に、電圧を印加することにより発光する面発光シート１６を、透光窓孔１３、２１の前面に露呈するようにして設ける。【選択図】  図１
2006320605.tif 000002
【特許請求の範囲】
【請求項１】
商品陳列棚における棚板の前面に、左右方向に向かって透光窓孔を設けるとともに、この透光窓孔の裏面に、電圧を印加することにより発光する面発光シートを、前記透光窓孔の前面に露呈するようにして設けたことを特徴とする商品陳列棚における棚板照明装置。
【請求項２】
棚板の前面を円弧状の曲面とし、その曲面部に設けた透光窓孔の裏面に、可撓性を有する面発光シートを、曲面部の裏面に沿うように円弧状に折り曲げて設けた請求項１記載の商品陳列棚における棚板照明装置。
【請求項３】
面発光シートの後面を、棚板の下面に着脱可能に取付けた押え部材により押圧して保持してなる請求項１または２記載の商品陳列棚における棚板照明装置。
【請求項４】
透光窓孔を、横長スリット状としてなる請求項１〜３記載のいずれかに記載の商品陳列棚における棚板照明装置。
【請求項５】
透光窓孔を、縦長スリット状とし、これを、左右方向に向かって所定間隔おきに多数設けてなる請求項１〜３のいずれかに記載の商品陳列棚における棚板照明装置。
【発明の詳細な説明】
【技術分野】
【０００１】
本発明は、商品陳列棚における棚板の前面を光により効果的に演出し、商品が人目を惹き易くすることにより、その販売促進に寄与しうるようにした商品陳列棚における棚板照明装置に関する。
【背景技術】
【０００２】
この種の棚板照明装置は、例えば特許文献１及び２に記載されており、公知である。
【特許文献１】特開２０００−３５４５３０号公報
【特許文献２】特開２００５−４０２７２号公報
【発明の開示】
【発明が解決しようとする課題】
【０００３】
上記特許文献１及び２に記載されている棚板照明装置は、いずれも、光源が棚板の下面に設けられた１個の蛍光灯であり、この蛍光灯の光を、透光板やプリズム等の偏光手段に照射して、棚板の前面や上面、及び棚板上の商品を照明するようにしているため、棚板の大きさ又は光源と透光板や偏光手段との位置関係などにより、棚板や商品の光による演出効果の向上には自ずから限界がある。
【０００４】
また、光源が蛍光灯であるため、照明光の色を変えることはできず、従って、棚板や商品の演出及びディスプレイ効果が低く、集客力の低下により販売促進に大きく寄与することはできない。
【０００５】
さらに、光源が蛍光灯であると、棚板の厚さが大となるとともに、上方に位置する棚板の下面に設けた蛍光灯が、下方より露見されることもあり、体裁が悪い。
【０００６】
本発明は、上記問題点に鑑みてなされたもので、蛍光灯とは異なるシート状の光源を用いることにより、棚板の大きさ等に関係なく、棚板や陳列商品を効果的に照明し、かつ商品に適した色で照明することにより、棚板や商品の光による演出及びディスプレイ効果を高めうるようにするとともに、棚板の厚さも小としうるようにした、商品陳列棚における棚板照明装置を提供することを目的としている。
【課題を解決するための手段】
【０００７】
本発明によると、上記課題は、次のようにして解決される。
(１)  商品陳列棚における棚板の前面に、左右方向に向かって透光窓孔を設けるとともに、この透光窓孔の裏面に、電圧を印加することにより発光する面発光シートを、前記透光窓孔の前面に露呈するようにして設ける。
【０００８】
(２)上記(１)項において、棚板の前面を円弧状の曲面とし、その曲面部に設けた透光窓孔の裏面に、可撓性を有する面発光シートを、曲面部の裏面に沿うように円弧状に折り曲げて設ける。
【０００９】
(３)上記(１)または(２)項において、面発光シートの後面を、棚板の下面に着脱可能に取付けた押え部材により押圧して保持する。
【００１０】
(４)  上記(１)〜(３)項のいすれかにおいて、透光窓孔を、横長スリット状とする。
【００１１】
(５)  上記(１)〜(３)項のいずれかにおいて、透光窓孔を、縦長スリット状とし、これを、左右方向に向かって所定間隔おきに多数設ける。
【発明の効果】
【００１２】
請求項１記載の発明によれば、棚板の前面が、その部分に設けた透光窓孔を通して美妙に発光するので、棚板の光による演出効果が高まり、人目を惹き易くなるため、集客力が向上して、棚板に陳列した商品の販売促進に寄与しうるようになる。
また、上下複数の棚板における面発光シートの発光色を、商品に適した色に選択することにより、上下の各棚板を、通常の棚板としてではなく、光を用いたディスプレイ専用棚のように認識させうるので、商品の演出及びディスプレイ効果も高まる。
さらに、面発光シートを光源として用いているので、棚板の厚さを最小限としうるとともに、棚板を下方より見たときの見栄えもよくなる。
【００１３】
請求項２記載の発明によれば、棚板の前面が曲面状に発光するので、美観が向上するとともに、面発光シートは可撓性を有しているので、曲面状をなす透光窓孔の裏面に、簡単に密着させて設けることができる。
【００１４】
請求項３記載の発明によれば、面発光シーに何ら加工を施したり、特別な固定手段を用いたりすることなく、棚板前面の裏面に容易に、かつ着脱可能に取付けることができる。
【００１５】
請求項４記載の発明によれば、棚板の前面が左右方向に沿って広範囲に明るく発光するので、棚板及びそれに陳列した商品が、より人目を惹き易くなる。
【００１６】
請求項５記載の発明によれば、棚板の前面が、左右方向に沿って所定の間隔おきに発光するので、上記と同様、棚板及び商品が、より人目を惹き易くなる。
また、上下複数の棚板を、請求項４の発明と組合わせてスリットの形状や数を変え、発光パターンを異ならせることにより、棚板が、より人目を惹き易くなるとともに、棚板や商品を他のものと差別化して個性的に演出することができる。
【発明を実施するための最良の形態】
【００１７】
以下、本発明の実施形態を、図面に基づいて説明する。
図１は、本発明の棚板照明装置を備える商品陳列棚の斜視図で、商品陳列棚(１)は、上下両端の対向面同士が、横連結杆(２)(２)により連結された左右１対の支柱(３)(３)と、両支柱(３)の下端の前面に後端が取付けられたベース棚(４)と、上下の横連結杆(２)と左右の支柱(３)とにより囲まれた方形枠内に嵌め込まれた背面板(５)と、ベース棚(４)の上方において左右の支柱(３)の前面に取付けられた複数（実施形態では２枚）の棚板(6a)(6b)とを備えている。
【００１８】
下方の棚板(6a)は、図２の分解斜視図及び図３の断面図に詳細を示すように、前端面が下方及び後方に向かって円弧状に折曲された曲面部(7a)をなすとともに、後端に下向折曲片(7b)を有するスチール製の棚板本体(７)と、その両側端を閉塞するようにして、棚板本体(７)の左右両端の下面に固着された側板(８)と、棚板本体(７)のやや前方寄りの下面に、スポット溶接により固着された、左右方向を向く側面視上向コ字状断面の補強部材(９)とを備えている。
【００１９】
左右の側板(８)の内側面には、棚板取付ブラケット(10)が、溶接により固着され、その後端に突設された複数の係合爪(10a)を、両支柱(３)の前面に列設されたスリット状の係合孔(11)に選択的に係合することにより、棚板(6a)は、高さ調節可能として両支柱(３)の前面に取付けられている。
【００２０】
棚板(6a)すなわち棚板本体(７)の前端部寄りの上面には、横長スリット状の透孔窓孔(12)が、同じく前面の曲面部(7a)には、左右２個の横長スリット状の透孔窓孔(13)(13)が、それぞれ棚板本体(７)の両側端部付近まで形成されている。
【００２１】
(14)は棚板照明装置で、透明なガラス又はアクリル等よりなる二等辺三角柱状の偏光プリズム(15)と、面発光シート(16)と、それらの押え部材(17)とからなっている。
【００２２】
偏光プリズム(15)の左右長は、上記透光窓孔(12)に嵌合しうる長さとされ、かつ底辺部の前後寸法は、透光窓孔(12)の前後の開口幅よりも若干大とされている。
【００２３】
面発光シート(16)は、無機ＥＬ（エレクトロ・ルミネッセンス）シートと称されているもので、透明電極シートと背面電極との間に、無機物の発光素子よりなる発光層を複数に重合し、これを、透明プラスチックシートにより覆った可撓性を有する構造のものであり、透明電極シートと背面電極に電圧を印加すると、シート全体が予め設定された発光色で均一かつ高輝度で発光するようになっている。
【００２４】
面発光シート(16)の左右寸法と前後寸法は、透光窓孔(12)及び(13)を裏面より閉塞しうる寸法とされている。
【００２５】
押え部材(17)は、補強部材(９)の下面と前面とに当接可能な側面視Ｌ字状の固定片(17a)と、この上端より前向き水平に延出された押え片(17b)と、その前端の側面視前向Ｌ字状の下向支持片(17c)の前面に溶接された、棚板本体(７)の曲面部(7a)に後方より嵌合可能なパイプ状の押え管(17d)とからなっている。
【００２６】
棚板照明装置(14)を棚板本体(７)に組付けるには、まず偏光プリズム(15)を、棚板本体(７)の透光窓孔(12)内に、頂角部が上方を向くように下方より嵌合したのち、面発光シート(16)の上面に偏光プリズム(15)の下面を当接させて載置する。
【００２７】
ついで、面発光シート(16)の前端部を、図２の２点鎖線に示すように、下向円弧状に丸めて、棚板本体(７)における前面の曲面部(7a)の裏面に挿入する。
【００２８】
ついで、押え部材(17)の押え管(17)を、曲面部(7a)の裏面に、斜め後ろ下方より嵌合して、円弧状に丸めた面発光シート(16)を押さえるとともに、水平をなす押え片(17b)の上面により、曲面部(7a)より後方の面発光シート(16)の下面を支持する。
【００２９】
ついで、押え部材(17)の後部の固定片(17a)を、補強部材(９)の下面と前面に当接させ、固定片(17a)の水平部に形成された複数の通孔(18)に下方より挿入したねじ(19)を、補強材(９)の上面に予め溶接されたナット(20)に嵌合することにより、押え部材(17)を棚板本体(７)の下面に固定する。
【００３０】
これにより、面発光シート(16)の前端部が、棚板本体(７)の曲面部(7a)の裏面に密着するとともに、偏光プリズム(15)における両傾斜面の下端部が透光窓孔(12)の前後の開口縁に当接することにより、上方に抜け止めされて保持され、かつ偏光プリズム(15)の下面は、面発光シート(16)の上面に密着する。
【００３１】
このようにして、棚板照明装置(14)を組付けた棚板(6a)を、棚板取付ブラケット(10)により支柱(３)に取付けると、図１に示すように、棚板本体(７)の前端部上面より、偏光プリズム(15)が突出するとともに、棚板前面の曲面部(7a)の左右両側には、面発光シート(16)の前端の円弧状に丸めた曲面部(16a)が露呈するようになる。
【００３２】
この状態で、面発光シート(16)に電圧を印加し、全面を発光させると、その上面に密着している偏光プリズム(15)が、面発光シート(16)よりの入射光により、それと同色で均一かつ美妙に発光するとともに、偏光プリズム(15)の前後の傾斜面より、前上方と後上方（図３の矢印方向）に向かって照明光が拡散して照射され、後上方の照明光により、棚板(6a)上の商品(Ａ)が、下方より柔かな光により照明される。
また同時に、棚板本体(７)の前面の左右両側が、その部分に露呈している面発光シート(16)の曲面部(16a)により発光する。
【００３３】
このように、偏光プリズム(15)と棚板本体(７)の前面が美妙に発光するとともに、棚板(6a)上の商品(Ａ)が、偏光プリズム(15)により下方から均一に照明されることにより、棚板(6a)や商品の演出効果やディスプレイ効果が高まる。
【００３４】
その結果、棚板(6a)及び商品(Ａ)が、遠くからでも人目を惹き易くなり、かつ注目度も増すため、集客力が向上して販売促進に寄与しうるようになる。
【００３５】
なお、面発光シート(16)の発光色は、陳列する商品(Ａ)の演出に適したものに選択すればよく、例えば化粧品等の商品(Ａ)であれば、青系や黄緑系等の明るい発光色とするのがよい。
【００３６】
上方の棚板(6b)は、棚板本体(７)の前面の曲面部(7a)に形成した透光窓孔の形状のみを異ならせたもので、曲面部(7a)に、縦向きの円弧状の細長いスリット状の透光窓孔(21)を、左右方向に沿って所定間隔おきに多数形成し、この透光窓孔(21)を通して露呈する面発光シート(16)が、左右方向に一定の間隔で発光するようにしたものである。
【００３７】
このようにしても、上記下方の棚板(6a)と同様の作用効果を奏することができる。また、上下の棚板(6a)(6b)の前面の発光パターンを異ならせるより、棚板(6a)(6b)が、より人目を惹き易くなる。
【００３８】
偏光プリズム(15)の形状は、上記実施形態のものに限定されるものではなく、図４〜図６に示すように、台形断面、扇形断面、又は、ほぼかまぼこ形断面等のものを用いることもできる。
【００３９】
また、棚板(6a)(6b)の前面を発光させる面発光シートと、偏光プリズム(15)を発光させる面発光シートとを別体とし、それらの面発光シートを異なる発光色で発光させるようにしてもよい。
棚板本体(７)の上面の透光窓孔(12)及び偏光プリズム(15)を省略し、棚板本体(７)の前面のみを発光させることもある。
【００４０】
棚板本体(７)の前面の透光窓孔(13)(21)の形状を、文字や記号等とし、それらを面発光シート(16)により発光させるようにすることもある。
【図面の簡単な説明】
【００４１】
【図１】本発明の一実施形態における棚板照明装置を備える商品陳列棚の斜視図である。
【図２】同じく、棚板及びそれに組付けられる棚板照明装置の分解斜視図である。
【図３】図１のIII−III線拡大縦断側面図である。
【図４】偏光プリズムを台形断面とした変形例の図３と同部位の縦断側面図である。
【図５】同じく、扇形断面とした変形例の図３と同部位の縦断側面図である。
【図６】同じく、かまぼこ形断面とした変形例の図３と同部位の縦断側面図である。
【符号の説明】
【００４２】
(１)商品陳列棚
(２)横連結杆
(３)支柱
(４)ベース棚
(５)背面板
(6a)(6b)棚板
(７)棚板本体
(7a)曲面部
(7b)下向折曲片
(８)側板
(９)補強部材
(10)棚板取付ブラケット
(10a)係合爪
(11)係合孔
(12)(13)透光窓孔
(14)棚板照明装置
(15)偏光プリズム
(16)面発光シート
(17)押え部材
(17a)固定片
(17b)押え片
(17c)下向支持片
(17d)押え管
(18)通孔
(19)ねじ
(20)ナット
(21)透光窓孔
(Ａ)商品
【図１】
2006320605.tif 000003
【図２】
2006320605.tif 000004
【図３】
2006320605.tif 000005
【図４】
2006320605.tif 000006
【図５】
2006320605.tif 000007
【図６】
2006320605.tif 000008